(57)【特許請求の範囲】
【請求項１】
所定のサイズを上限として、当該所定のサイズ以下の記録用紙を、当該所定のサイズの記録用紙の短辺の延びる方向に搬送しつつ、記録用紙に対して画像の記録を行う記録部と、
第１方向に沿うように、かつ前記所定のサイズの印刷用紙の長辺寸法以上に渡り配置された撮像素子の読み取り位置と、載置部に載置された原稿とを、当該第１方向と直行する第２方向において相対的に移動させることで、当該原稿に記録された画像を読み取るように構成された読取部と、
前記記録部によって画像が記録される記録用紙を収容する用紙収容部と、
前記用紙収容部に収容された記録用紙の用紙サイズを記憶可能な記憶部と、
制御部と、
を備え、
前記制御部は、
前記読取部により画像を読み取り、当該画像を前記記録部により印刷用紙に記録させる複写処理を実行する第１実行手段と、
前記載置部に載置された原稿の前記第１方向における寸法である第１寸法を取得する取得手段と、
前記記憶部に記憶されている用紙サイズの長辺の寸法と短辺の寸法との何れかが、前記取得手段により取得された第１寸法に、予め設定された複写処理に係る拡縮率を乗じることで得られる第２寸法に一致するか否かを判定する第２判定手段と、
少なくとも、前記第２判定手段により前記記憶部に記憶されている用紙サイズの長辺の寸法と短辺の寸法との何れかが前記第２寸法に一致すると判定されたことを条件として、前記第２寸法に一致する寸法の用紙サイズを前記拡縮率で除することで演算されるサイズを、前記載置部に載置された原稿の原稿サイズと判定し、前記第２寸法に一致すると判定された長辺と短辺との一方を、前記第１方向に沿うように前記載置部に原稿が載置されていると判定する第１判定手段と、
前記第１判定手段により判定された原稿サイズが前記所定のサイズ以下であり、かつ、前記第１判定手段により判定された載置方向が、短辺を前記第１方向に沿うように前記載置部に載置された原稿の載置方向であることを条件として、長辺を前記第１方向に沿うように原稿を前記載置部に載置することで、複写処理に要する時間の短縮を図ることができる旨の第１情報を報知する第１報知手段と、
を有することを特徴とする複写機。
【請求項２】
前記複写機は、
ユーザ操作に応じた入力を行う操作部をさらに備え、
前記制御部は、
前記載置部に載置された原稿に対する複写処理の指示を、前記操作部により受け付ける第１受付手段を有し、
前記第１報知手段は、
前第１記受付手段により複写処理の指示を受け付けた後に、前記第１情報を報知することを特徴とする請求項１に記載の複写機。
【請求項３】
前記第１実行手段は、
前記第１受付手段により複写処理の指示を受け付けた後に、複写処理を実行し、
前記第１報知手段は、
前記第１受付手段により複写処理の指示を受け付けたときに前記載置部に載置されている原稿よりも、後に載置される原稿に対して報知を行うことを特徴とする請求項２に記載の複写機。
【請求項４】
前記複写機は、
複数の前記用紙収容部をさらに備え、
前記記憶部は、
前記複数の用紙収容部の各々に収容された記録用紙の用紙サイズと、当該複数の用紙収容部に対して設定された優先順位とを記憶可能であり、
前記第２判定手段は、
前記記憶部に記憶されている用紙サイズの長辺の寸法と短辺の寸法との何れかが前記第２寸法に一致するか否かを、前記記憶部に記憶されている優先順位が示す優先度の高い用紙収容部に収容されている記録用紙の用紙サイズから順に判定し、
前記第１判定手段は、
前記記憶部に記憶されている用紙サイズの長辺の寸法と短辺の寸法との何れかが前記第２寸法に最初に一致すると判定された用紙サイズ及び、最初に前記第２寸法に一致すると判定された長辺と短辺との一方に基づいて、前記載置部に載置された原稿の原稿サイズ及び載置方向を判定することを特徴とする請求項１乃至３の何れか１項に記載の複写機。
【請求項５】
前記第１報知手段は、
前記第１判定手段により判定された原稿サイズが前記所定のサイズ以下であり、かつ、前記第１判定手段により判定された載置方向が、短辺を前記第１方向に沿うように前記載置部に載置された原稿の載置方向である場合に、当該原稿サイズの原稿の長辺の寸法に前記拡縮率を乗じることで演算される寸法を長辺の寸法とする記録用紙を収容する用紙収容部に対して設定された優先順位より優先度の高い優先順位に設定された用紙収容部に、当該原稿サイズの原稿の長辺の寸法に前記拡縮率を乗じることで演算される寸法を短辺の寸法とする記録用紙が収容されていないことを、更なる条件として、前記第１情報を報知することを特徴とする請求項４に記載の複写機。
【請求項６】
前記第１実行手段は、
前記第１判定手段により判定された載置方向が、短辺を前記第１方向に沿うように前記載置部に載置された原稿の載置方向である場合に、前記読取部により読み取られた画像を、画像読取時の状態から９０度回転させた状態で、前記記録部により印刷用紙に記録させ、前記第１判定手段により判定された載置方向が、長辺を前記第１方向に沿うように前記載置部に載置された原稿の載置方向である場合に、前記読取部により読み取られた画像を、画像読取時の状態で、前記記録部により印刷用紙に記録させることを特徴とする請求項１乃至５の何れか１項に記載の複写機。
【請求項７】
前記複写機は、
電話回線網を用いて画像データを送信する送信部と、
ユーザ操作に応じた入力を行う操作部をさらに備え、
前記制御部は、
前記読取部により画像を読み取り、当該画像の画像データを、前記送信部を介して送信する送信処理を実行する第２実行手段と、
前記載置部に載置された原稿に対する送信処理の指示を、前記操作部により受け付ける第２受付手段と、
前記載置部に載置された原稿の載置方向を判定する第３判定手段と、
前記第３判定手段により判定された載置方向が、長辺を前記第１方向に沿うように前記載置部に載置された原稿の載置方向であることを条件として、前記第２受付手段により送信処理の指示を受け付けた後に、短辺を前記第１方向に沿うように原稿を前記載置部に載置することを促す旨の情報を報知する第２報知手段と、
を有することを特徴とする請求項１乃至６の何れか１項に記載の複写機。
【請求項８】
所定のサイズを上限として、当該所定のサイズ以下の記録用紙を、当該所定のサイズの記録用紙の短辺の延びる方向に搬送しつつ、記録用紙に対して画像の記録を行う記録部と、第１方向に沿うように、かつ前記所定のサイズの印刷用紙の長辺寸法以上に渡り配置された撮像素子の読み取り位置と、載置部に載置された原稿とを、当該第１方向と直行する第２方向において相対的に移動させることで、当該原稿に記録された画像を読み取る読取部と、前記記録部によって画像が記録される記録用紙を収容する用紙収容部と、前記用紙収容部に収容された記録用紙の用紙サイズを記憶可能な記憶部とを備えた複写機のコンピュータが読み取り可能な制御プログラムであって、
前記コンピュータを、
前記読取部により画像を読み取り、当該画像を前記記録部により印刷用紙に記録させる複写処理を実行する実行手段と、
前記載置部に載置された原稿の前記第１方向における寸法である第１寸法を取得する取得手段と、
前記記憶部に記憶されている用紙サイズの長辺の寸法と短辺の寸法との何れかが、前記取得手段により取得された第１寸法に、予め設定された複写処理に係る拡縮率を乗じることで得られる第２寸法に一致するか否かを判定する第２判定手段と、
少なくとも、前記第２判定手段により前記記憶部に記憶されている用紙サイズの長辺の寸法と短辺の寸法との何れかが前記第２寸法に一致すると判定されたことを条件として、前記第２寸法に一致する寸法の用紙サイズを前記拡縮率で除することで演算されるサイズを、前記載置部に載置された原稿の原稿サイズと判定し、前記第２寸法に一致すると判定された長辺と短辺との一方を、前記第１方向に沿うように前記載置部に原稿が載置されていると判定する第１判定手段と、
前記第１判定手段により判定された原稿サイズが前記所定のサイズ以下であり、かつ、前記第１判定手段により判定された載置方向が、短辺を前記第１方向に沿うように前記載置部に載置された原稿の載置方向であることを条件として、長辺を前記第１方向に沿うように原稿を前記載置部に載置することで、複写処理に要する時間の短縮を図ることができる旨の第１情報を報知する第１報知手段と、
して機能させることを特徴とする制御プログラム。
【発明の詳細な説明】
【技術分野】
【０００１】
本発明は、読取部により画像を読み取り、その画像を記録部により印刷用紙に記録させる複写処理を実行する複写機、および、その複写機のコンピュータが読み取り可能な制御プログラムに関する。
【背景技術】
【０００２】
複写機には、下記特許文献に記載されているように、搬送機構によって記録用紙を、記録用紙の短辺の延びる方向に搬送しつつ、記録用紙に対して画像を記録するものが存在する。
【先行技術文献】
【特許文献】
【０００３】
【特許文献１】特開２００７−３３１２９７号公報
【発明の概要】
【発明が解決しようとする課題】
【０００４】
上記特許文献に記載の複写機では、短辺の延びる方向に向かって搬送される記録用紙に、画像が記録される。このため、このような複写機では、読取部のラインセンサ等の撮像素子の延びる方向に、長辺を沿うように載置された原稿を、読取部によって読み取ることが好ましい。これは、撮像素子の延びる方向に、短辺を沿うように載置された原稿が読み取られた場合には、その読み取られた画像を９０度回転させた状態で、記録用紙に記録する必要があり、画像データの変換等によって、複写処理に要する時間の短縮を図ることができないためである。しかしながら、原稿の載置台に、撮像素子の延びる方向に長辺を沿うように原稿を載置できない複写機も存在する。このため、原稿の載置台に、撮像素子の延びる方向に長辺を沿うように原稿を載置可能な複写機であっても、ユーザが、そのような向きに載置できることに気がつかないために、原稿の載置台に、撮像素子の延びる方向に短辺を沿うように原稿を載置する場合がある。このような場合には、複写機の性能を充分に発揮することができず、複写処理に要する時間が無駄に長くなる。本発明は、そのような事情に鑑みてなされたものであり、本発明の課題は、複写処理に要する時間を短くすることである。
【課題を解決するための手段】
【０００５】
上記課題を解決するために、本発明の複写機は、所定のサイズを上限として、当該所定のサイズ以下の記録用紙を、当該所定のサイズの記録用紙の短辺の延びる方向に搬送しつつ、記録用紙に対して画像の記録を行う記録部と、第１方向に沿うように、かつ前記所定のサイズの印刷用紙の長辺寸法以上に渡り配置された撮像素子の読み取り位置と、載置部に載置された原稿とを、当該第１方向と直行する第２方向において相対的に移動させることで、当該原稿に記録された画像を読み取るように構成された読取部と、制御部と、を備え、前記制御部は、前記読取部により画像を読み取り、当該画像を前記記録部により印刷用紙に記録させる複写処理を実行する第１実行手段と、前記載置部に載置された原稿の原稿サイズ及び載置方向を判定する第１判定手段と、前記第１判定手段により判定された原稿サイズが前記所定のサイズ以下であり、かつ、前記第１判定手段により判定された載置方向が、短辺を前記第１方向に沿うように前記載置部に載置された原稿の載置方向であることを条件として、長辺を前記第１方向に沿うように原稿を前記載置部に載置することで、複写処理に要する時間の短縮を図ることができる旨の第１情報を報知する第１報知手段と、を有することを特徴とする。
【０００６】
上記課題を解決するために、本発明の制御プログラムは、所定のサイズを上限として、当該所定のサイズ以下の記録用紙を、当該所定のサイズの記録用紙の短辺の延びる方向に搬送しつつ、記録用紙に対して画像の記録を行う記録部と、第１方向に沿うように、かつ前記所定のサイズの印刷用紙の長辺寸法以上に渡り配置された撮像素子の読み取り位置と、載置部に載置された原稿とを、当該第１方向と直行する第２方向において相対的に移動させることで、当該原稿に記録された画像を読み取る読取部とを備えた複写機のコンピュータが読み取り可能な制御プログラムであって、前記コンピュータを、前記読取部により画像を読み取り、当該画像を前記記録部により印刷用紙に記録させる複写処理を実行する実行手段と、前記載置部に載置された原稿の原稿サイズ及び載置方向を判定する第１判定手段と、前記第１判定手段により判定された原稿サイズが前記所定のサイズ以下であり、かつ、前記第１判定手段により判定された載置方向が、短辺を前記第１方向に沿うように前記載置部に載置された原稿の載置方向であることを条件として、長辺を前記第１方向に沿うように原稿を前記載置部に載置することで、複写処理に要する時間の短縮を図ることができる旨の第１情報を報知する第１報知手段と、して機能させることを特徴とする。
【発明の効果】
【０００７】
本発明の複写機等では、短辺を撮像素子の延びる方向に沿うように、原稿が載置部に載置されている場合に、長辺を撮像素子の延びる方向に沿うように原稿を載置部に載置することで、複写処理に要する時間の短縮を図ることができる旨の情報が報知される。これにより、複写処理に要する時間を短くすることが可能となる。
【図面の簡単な説明】
【０００８】
【図１】ＭＦＰ１０のブロック図である。
【図２】記録部２０を示す図である。
【図３】ＭＦＰ１０を側方からの視点に示す図である。
【図４】ＡＤＦを示す図である。
【図５】透明板３６に載置される原稿方向を示す図である。
【図６】メニュー画面５０を示す図である。
【図７】用紙トレイ毎に記憶された優先順位，用紙サイズを概念的に示す図である。
【図８】コピー処理実行画面７０を示す図である。
【図９】設定変更画面１００を示す図である。
【図１０】透明板３６に載置される原稿位置を示す図である。
【図１１】原稿寸法と拡縮率と推定用紙サイズとの関係を概念的に示す図である。
【図１２】第１報知画面１５０を示す図である。
【図１３】第２報知画面１６０を示す図である。
【図１４】ＭＦＰ１０の動作フローチャートを示す図である。
【図１５】ＭＦＰ１０の動作フローチャートを示す図である。
【図１６】ＭＦＰ１０の動作フローチャートを示す図である。
【図１７】ＭＦＰ１０の動作フローチャートを示す図である。
【図１８】ＭＦＰ１０の動作フローチャートを示す図である。
【発明を実施するための形態】
【０００９】
＜ＭＦＰの構成＞
図１に、本願に係る実施形態として例示されるＭＦＰ（Multifunction Peripheralの略）（本発明の複写機の一例）１０のブロック図を示す。
【００１０】
ＭＦＰ１０は、ＣＰＵ（本発明の制御部およびコンピュータの一例）１２、記憶部１４、ディスプレイ１６、入力Ｉ／Ｆ（本発明の操作部の一例）１８、記録部（本発明の記録部の一例）２０、読取部（本発明の読取部の一例）２２、検出センサ２４、カバーセンサ２５、モデム２６、電話回線接続部（本発明の送信部の一例）２８を主に備えている。これらの構成要素は、入出力ポート３０を介して互いに通信可能とされている。
【００１１】
ディスプレイ１６は、ＭＦＰ１０の各種機能を表示する表示面を備える。ディスプレイの一例としては、例えば、ＬＣＤ、有機ＥＬ、プラズマディスプレイ等が挙げられる。入力Ｉ／Ｆ１８は、例えば、ディスプレイ１６と一体的に構成されているタッチパネルであってよく、ディスプレイ１６上に表示されたアイコンへのユーザ操作を受け付ける。また、タッチパネル以外にも、ハードキー等であってもよい。
【００１２】
記録部２０は、印刷機構であり、図２に示すように、インクジェットヘッド３１を有している。インクジェットヘッド３１は、矢印３２に向かう方向に移動可能とされており、図での実線位置と点線位置との間で移動する。また、記録部２０は、搬送機構（図示省略）を有している。搬送機構は、用紙トレイ（図示省略）（本発明の用紙収容部の一例）に収容された印刷用紙（本発明の記録用紙の一例）を、用紙排出部（図示省略）まで搬送する。この際、搬送機構は、インクジェットヘッド３１の下方において、印刷用紙３３を矢印３４の方向、つまり、インクジェットヘッド３１の移動方向（矢印３２の方向）と直行する方向に搬送する。そして、ＣＰＵ１２は、印刷用紙をインクジェットヘッド３１の下方において搬送させ、インクジェットヘッド３１に駆動信号を入力する。これにより、インクジェットヘッド３１が、入力された駆動信号に応じて、ノズルからインクを吐出することで、印刷用紙３３に画像が印刷される。ちなみに、ＭＦＰ１０は、３個の用紙トレイを有しており、搬送機構は、３個の用紙トレイのうちの任意の１の用紙トレイから印刷用紙３３を搬送する。なお、記録部２０では、Ａ３サイズ、Ａ４サイズ、Ａ５サイズの印刷用紙３３への印刷を行うことが可能である。また、インクジェットヘッド３１の移動範囲は、Ａ４サイズの印刷用紙３３の長辺に相当する長さである。このため、Ａ４サイズ以下の印刷用紙、つまり、Ａ４サイズの印刷用紙３３ａ及び、Ａ５サイズの印刷用紙は、印刷用紙の短辺の延びる方向に向かって搬送される。また、Ａ３サイズの印刷用紙３３ｂは、印刷用紙の長辺の延びる方向に向かって搬送される。
【００１３】
読取部２２は、ＭＦＰ１０の内部に配設されており、画像の読み取りを行う。詳しくは、ＭＦＰ１０は、図３に示すように、筐体３５と透明板（本発明の載置部の一例）３６とカバー３７とを含む。筐体３５は、上面が開口しており、その上面には、透明板３６が嵌めこまれている。そして、その透明板３６を覆うように、カバー３７が、開閉可能に配設されている。透明板３６は、図５に示すように、概して矩形とされており、Ａ３サイズの原稿より僅かに大きなサイズとされている。また、読取部２２は、図３に示すように、読取装置３８を有している。読取装置３８は、透明板３６の下方に配設され、矢印３９の向かう方向（本発明の第２方向の一例）、所謂、副走査方向に移動可能とされている。なお、矢印３９の向かう方向は、透明板３６の長辺の延びる方向（図５の矢印４０の向かう方向）とされている。その読取装置３８は、光源４１、レンズ４２、ＣＩＳ（Contact Image Sensorの略）（本発明の撮像素子の一例）４３を有している。光源４１は、透明板３６に向かって光を照射する。そして、光源４１から透明板３６に向かって照射され、透明板３６により反射した光が、レンズ４２を通過し、その反射光を、ＣＩＳ４３が受光する。ちなみに、ＣＩＳ４３は、図３の紙面垂直方向、つまり、副走査方向に直行する方向（本発明の第１方向の一例）、所謂、主走査方向（以下、単に主走査方向と称する）に向かって延びるように配設されている。なお、ＣＩＳ４３の延びる方向は、透明板３６の短辺の延びる方向（図５の矢印４４の向かう方向）とされており、ＣＩＳ４３の長さ寸法は、透明板３６の短辺と同程度の長さ寸法とされている。そして、透明板３６に原稿が載置され、カバー３７が閉じられた状態で、読取装置３８が矢印３９に向かう方向、つまり、副走査方向に移動されることで、原稿の画像がＣＩＳ４３によって読み取られる。このため、読取部２２は、透明板３６とカバー３７と読取装置３８とによって構成されると考えられる。なお、読取部２２では、Ａ３サイズ、Ａ４サイズ、Ａ５サイズの原稿の読み取りを行うことが可能である。また、カバーセンサ２５は、カバー３７の開状態、及び閉状態のそれぞれを示す信号を出力する。これにより、ＣＰＵ１２はカバー３７の開閉状態を検知することができる。
【００１４】
なお、透明板３６は、上述したように、Ａ３サイズの原稿より僅かに大きなサイズであるため、Ａ３サイズの原稿は、透明板３６と一致するように、透明板３６の上に載置される。つまり、Ａ３サイズの原稿は、原稿の長辺と透明板３６の長辺とが一致し、原稿の短辺と透明板３６の短辺とが一致するように、透明板３６の上に載置される。ただし、Ａ４サイズの原稿、及び、Ａ５サイズの原稿は、横方向、若しくは、縦方向に透明板３６の上に載置される。詳しくは、透明板３６の上にＡ４サイズの原稿が載置される場合には、点線４５で示される位置、若しくは、一点鎖線４６で示される位置に、原稿が載置される。点線４５で示される位置に原稿が載置された場合に、原稿は、長辺を矢印４４の方向、つまり、ＣＩＳ４３の延びる方向に沿うように載置されることで、縦方向に延びる姿勢となる。このため、原稿の長辺が矢印４４の方向、つまり、ＣＩＳ４３の延びる方向に沿うように透明板３６に載置された原稿の方向を、縦方向と定義する。また、一点鎖線４６で示される位置に原稿が載置された場合に、原稿は、短辺を矢印４４の方向、つまり、ＣＩＳ４３の延びる方向に沿うように載置されることで、横方向に延びる姿勢となる。このため、原稿の短辺が矢印４４の方向、つまり、ＣＩＳ４３の延びる方向に沿うように透明板３６に載置された原稿の方向を、横方向と定義する。
【００１５】
また、ＭＦＰ１０では、ＡＤＦ（Auto Document Feederの略）（本発明の載置部の一例）にセットされた原稿も、読取可能である。詳しくは、図４に示すように、ＭＦＰ１０のカバー３７の上面には、ＡＤＦの載置部４７が配設されている。そして、その載置部４７に載置された原稿が、カバー３７の内部を搬送され、載置部４７の下方に配設された排出部４８に排出される。この載置部４７から排出部４８までの原稿の配送経路に、読取装置３８が配設されている。そして、ＡＤＦの載置部４７にセットされた原稿が、副走査方向に搬送され、搬送される原稿の画像が、読取装置３８のＣＩＳ４３によって読み取られる。これにより、ＡＤＦにセットされた原稿も、読取部２２によって読み取られる。なお、ＡＤＦにより搬送可能な最大原稿は、Ａ３サイズの原稿とされており、Ａ３サイズの原稿は、長辺が搬送方向に沿うようにセットされた場合にのみ、ＡＤＦによって搬送される。ただし、Ａ４サイズの原稿、及び、Ａ５サイズの原稿は、横方向と縦方向との何れの方向にＡＤＦにセットされても、ＡＤＦによって搬送される。詳しくは、Ａ４サイズの原稿、及び、Ａ５サイズの原稿が、長辺が搬送方向に沿うようにＡＤＦの載置部４７にセットされると、ＭＦＰ１０の正面から見て横方向に延びる姿勢となる。このため、原稿の長辺が搬送方向に沿うようにＡＤＦにセットされた原稿の方向を、横方向と定義する。一方、Ａ４サイズの原稿、及び、Ａ５サイズの原稿が、短辺が搬送方向に沿うようにＡＤＦの載置部４７にセットされると、ＭＦＰ１０の正面から見て縦方向に延びる姿勢となる。このため、原稿の短辺が搬送方向に沿うようにＡＤＦにセットされた原稿の方向を、縦方向と定義する。
【００１６】
なお、ＭＦＰ１０では、ＣＩＳ４３が採用されているが、ＣＣＤイメージセンサを採用することが可能である。ただし、ＣＣＤイメージセンサが採用される場合は、光源からの照射光がミラーにより反射され、その反射光がセンサにより受光される。そして、ＣＣＤイメージセンサは、固定されており、少なくともミラーが副走査方向に移動される。このため、ＣＩＳ４３が採用された場合では、ＣＩＳ４３の配設位置が、画像の読み取り位置となるが、ＣＣＤイメージセンサが採用された場合は、ミラーの位置が読み取り位置となる。
【００１７】
検出センサ２４は、ＡＤＦにセットされた原稿の搬送方向と直行する方向における寸法を検出するためのセンサである。つまり、検出センサ２４は、ＣＩＳ４３の延びる方向、すなわち主走査方向におけるＡＤＦにセットされた原稿の寸法を検出するためのセンサである。また、検出センサ２４は、図４に示すように、ＡＤＦの原稿の搬送路の上流に配置されている。なお、検出センサ２４は、光学式、機械式などがあるが、特に限定されない。また、検出センサ２４が、ＡＤＦの載置部４７への原稿の有無の検知を兼ねている。
【００１８】
ＣＰＵ１２は、記憶部１４内の制御プログラム（本発明の制御プログラムの一例）４７に従って処理を実行する。制御プログラム４７は、ＭＦＰ１０において各種の処理を実行するためのプログラムである。なお、記憶部１４は、ＲＡＭ（Random Access Memoryの略）、ＲＯＭ（Read Only Memoryの略）、フラッシュメモリー、ＨＤＤ（Hard Disk Driveの略）、ＣＰＵ１２が備えるバッファなどが組み合わされて構成されている。また、記憶部１４は、データ記憶領域（本発明の記憶部の一例）４８を備える。データ記憶領域４８は、制御プログラム４７の実行に必要なデータなどを記憶する領域であり、パーマネント設定領域４８ａ、テンポラリ設定領域４８ｂを備える。
【００１９】
モデム２６は、ファクシミリ機能によって送信する原稿データを、電話回線網（本発明の電話回線網の一例）４９に伝送可能な信号に変調して電話回線接続部２８を介して送信したり、電話回線網４９から電話回線接続部２８を介して入力された信号を受信し、原稿データを復調するものである。
【００２０】
＜ＭＦＰ１０による各種処理の実行＞
ＭＦＰ１０では、上述した構成により、コピー処理，スキャン処理，ファックス処理の各種処理を実行することが可能である。詳しくは、ＭＦＰ１０では、通常、ディスプレイ１６に、図６に示すメニュー画面５０が表示されている。メニュー画面５０には、ファックス選択アイコン５２、コピー選択アイコン５４、スキャン選択アイコン５６、設定アイコン５８が表示されている。
【００２１】
ファックス選択アイコン５２は、透明板３６、若しくは、ＡＤＦにセットされた原稿の画像データを読み取り、その画像データを、電話回線網４９を介して送信するファックス処理を選択するためのアイコンである。コピー選択アイコン５４は、透明板３６、若しくは、ＡＤＦにセットされた原稿の画像データを読み取り、その画像データに基づく画像のコピー処理を選択するためのアイコンである。スキャン選択アイコン５６は、透明板３６、若しくは、ＡＤＦにセットされた原稿の画像データを読み取り、その画像データをデータ記憶領域４８に記憶するスキャン処理を選択するためのアイコンである。設定アイコン５８は、各種処理を実行する際に用いられる設定値を設定するためのアイコンである。
【００２２】
ＭＦＰ１０でのコピー処理では、透明板３６、若しくは、ＡＤＦにセットされた原稿の原稿サイズが推定され、その原稿サイズおよび、拡縮率に応じた印刷用紙の用紙サイズが特定される。そして、その特定されたサイズの印刷用紙への印刷が行われる。なお、拡縮率は、原稿の画像が印刷用紙に印刷される際の原稿の画像の拡大率、若しくは、縮小率である。つまり、拡縮率は、原稿の原稿サイズに対する印刷用紙の用紙サイズの比率である。また、原稿サイズとともに、原稿の載置方向、つまり、透明板３６、若しくは、ＡＤＦにセットされた原稿が横方向であるか否かも特定され、原稿の載置方向が横方向である場合に、原稿の縦置きを推奨する画面がディスプレイ１６に表示される。以下に、ＭＦＰ１０でのコピー処理について詳しく説明する。
【００２３】
まず、パーマネネント設定について説明する。パーネント設定は、コピー処理を含む複数の処理におけるデフォルト値の設定である。メニュー画面５０の設定アイコン５８へのユーザ操作によって、ディスプレイ１６に設定画面（図示省略）が表示される。そして、その設定画面において、３個の用紙トレイの各々に収容されている印刷用紙の用紙サイズが入力される。具体的には、例えば、３個の用紙トレイのうちの１の用紙トレイ（以下、「トレイＡ」と記載する）に、Ａ４サイズの印刷用紙が収容され、３個の用紙トレイのうちのトレイＡと異なる１の用紙トレイ（以下、「トレイＢ」と記載する）に、Ａ３サイズの印刷用紙が収容され、３個の用紙トレイのうちのトレイＡ及びトレイＢと異なる１の用紙トレイ（以下、「トレイＣ」と記載する）に、Ａ５サイズの印刷用紙が収容されている場合に、その旨の情報が設定画面において入力される。
【００２４】
これにより、図７に示すように、各用紙トレイと、各用紙トレイに収容されている用紙サイズとが関連付けられて、パーマネント設定領域４８ａに記憶される。また、設定画面では、３個の用紙トレイのうちの何れかの用紙トレイを、使用対象の用紙トレイとして設定することが可能である。詳しくは、トレイＡとトレイＢとトレイＣとの各々を選択するための選択アイコンが、設定画面に表示され、操作された選択アイコンに応じた用紙トレイが、使用対象の用紙トレイとして設定される。つまり、例えば、トレイＡに応じた選択アイコンが操作された場合には、トレイＡが使用対象の用紙トレイとして設定される。なお、設定画面において入力された設定値は、ファックス処理、コピー処理等の全ての印刷を伴う処理に共通する設定値となる。このため、トレイＡが使用対象の用紙トレイとして設定された場合には、各種処理で印刷用紙が使用される際に、トレイＡに収容されたＡ４の印刷用紙に画像が印刷される。なお、用紙トレイの選択により、用紙サイズが選択されることから、用紙トレイの選択は、用紙サイズの選択に含まれる。
【００２５】
また、ＭＦＰ１０では、コピー処理等の印刷を伴う処理において、使用対象の用紙トレイの設定を“自動”とすることが可能である。詳しくは、設定画面には、使用対象の用紙トレイの設定を“自動”とするための選択アイコンが表示され、その選択アイコンが操作されることで、使用対象の用紙トレイが後述する条件に従い自動で設定される。また、設定画面では、用紙トレイの設定を“自動”とした場合、用紙トレイの優先順位がユーザ操作により受付けられ、図７に示すように、各用紙トレイと、各用紙トレイに設定された優先順位とが関連付けられて、パーマネント設定領域４８ａに記憶される。この優先順位は、各処理において使用される用紙トレイの優先度を特定するためのものであり、優先度が高い順番である。このため、使用対象の用紙トレイ設定が“自動”とされている際に、図７に示すように用紙トレイと優先順位とがパーマネント設定領域４８ａに記憶されている場合には、トレイＢが使用対象の用紙トレイとして設定される可能性が高くなる。このように、設定画面では、トレイ設定として、トレイＡ〜Ｃのうちの何れかのトレイの、若しくは、“自動”を選択することが可能である。つまり、設定画面では、印刷を伴う各種処理実行時における使用対象の用紙トレイが、優先順位に応じた用紙トレイ、若しくは、ユーザ操作により特定された用紙トレイに設定される。
【００２６】
また、ＭＦＰ１０においてコピー処理が実行される際に、ユーザは、メニュー画面５０においてコピー選択アイコン５４を操作する。これにより、ディスプレイ１６に、図８に示すコピー処理実行画面７０が表示される。コピー処理実行画面７０には、印刷枚数選択アイコン７２と、設定値表示欄７４と、設定変更アイコン７６と、モノクロコピー開始アイコン７８と、カラーコピー開始アイコン８０とが表示される。
【００２７】
設定値表示欄７４には、コピー処理の設定値が表示される。詳しくは、コピー処理時の拡縮率，両面印刷の有無，コピー処理時に用いられる用紙トレイ及びトレイに収容されている印刷用紙の用紙サイズ、印刷品質が、コピー処理の設定値として、設定値表示欄７４に表示される。なお、設定値表示欄７４の用紙トレイ及び用紙サイズは、設定画面で設定され、パーマネント設定領域４８ａに記憶された設定値が表示される。つまり、設定画面で、ユーザ操作により用紙トレイが特定されている場合には、その特定された用紙トレイ及び、そのトレイと関連付けてパーマネント設定領域４８ａに記憶されている用紙サイズが、設定値表示欄７４に表示される。具体的には、例えば、ユーザ操作によりトレイＡが設定された場合には、トレイＡ及び、トレイＡと関連付けてパーマネント設定領域４８ａに記憶されているＡ４サイズが、設定値表示欄７４に表示される。また、設定画面で、“自動”が設定されている場合には、設定された優先順位に従い自動で選択された用紙トレイ及び、そのトレイと関連付けてパーマネント設定領域４８ａに記憶されている用紙サイズが、設定値表示欄７４に表示される。具体的には、例えば、図７に示す優先順位が設定されている場合には、トレイＢ及び、そのトレイＢと関連付けてパーマネント設定領域４８ａに記憶されているＡ３サイズが、設定値表示欄７４に表示される。なお、用紙トレイが自動で設定された場合は、ユーザの意思に従って用紙トレイが設定されている場合と区別するために、用紙トレイの後ろに“優先”の文字が表示される。
【００２８】
ただし、コピー処理の設定値は、設定変更アイコン７６の操作により変更することが可能である。詳しくは、設定変更アイコン７６の操作により、ディスプレイ１６に、図９に示す設定変更画面１００が表示される。設定変更画面１００には、用紙サイズ変更アイコン１０４と、トレイ変更アイコン１０６と、拡縮率変更アイコン１０８と、ＯＫアイコン１１２とが表示される。用紙サイズ変更アイコン１０４は、印刷対象の印刷用紙の用紙サイズを変更するためのアイコンである。トレイ変更アイコン１０６は、使用対象の用紙トレイを変更するためのアイコンである。なお、トレイ変更アイコン１０６の操作により、トレイＡ〜Ｃのうちの何れかのトレイの設定、若しくは、使用対象の用紙トレイの自動設定を選択することが可能である。拡縮率変更アイコン１０８は、拡縮率を変更するためのアイコンである。そして、各種変更アイコンの操作後に、ＯＫアイコン１１２が操作されることで、ディスプレイ１６に、図８に示すコピー処理実行画面７０が表示され、そのコピー処理実行画面７０の設定値表示欄７４には、各種変更アイコンの操作に応じた設定値が表示される。
【００２９】
つまり、例えば、設定画面において、使用対象の用紙トレイの自動設定が選択されている場合であっても、設定変更画面１００において、トレイ変更アイコン１０６が操作され、特定のトレイがユーザ操作により設定された場合は、そのユーザ操作により設定された用紙トレイ及び、そのトレイに収容されている用紙サイズが、設定値表示欄７４に表示される。また、例えば、設定画面において、使用対象の用紙トレイの自動設定が選択されている場合であっても、設定変更画面１００において、用紙サイズ変更アイコン１０４が操作され、印刷用紙の用紙サイズが設定された場合は、そのユーザ操作により設定された用紙サイズ及び、その用紙サイズの印刷用紙を収容している用紙トレイが、設定値表示欄７４に表示される。
【００３０】
また、コピー処理実行画面７０において、モノクロコピー開始アイコン７８若しくは、カラーコピー開始アイコン８０が操作されると、設定値表示欄７４に表示されているコピー処理の設定値に応じたコピー処理が実行される。ただし、ＭＦＰ１０では、上述したように、ユーザの意思に従って用紙トレイが設定されている場合と、用紙トレイの自動設定が選択されている場合とがあり、それぞれの場合に応じてコピー処理の手法が異なっている。このため、以下に、それぞれの場合に応じたコピー処理について詳しく説明する。
【００３１】
まず、ユーザの意思に従って用紙トレイが設定されている場合のコピー処理について説明する。なお、ユーザの意思に従って用紙トレイが設定されている場合とは、設定変更画面１００での用紙サイズ変更アイコン１０４へのユーザ操作により、印刷用紙の用紙サイズが設定された場合、設定変更画面１００でのトレイ変更アイコン１０６へのユーザ操作により、特定の用紙トレイが設定された場合である。また、設定画面で特定の用紙トレイが設定され、設定変更画面１００において、用紙サイズ若しくは、用紙トレイの変更が行われなかった場合も、ユーザの意思に従って用紙トレイが設定されている場合に該当する。
【００３２】
ユーザの意思に従って用紙トレイが設定されている場合には、コピー処理実行画面７０の設定値表示欄７４に表示されている用紙トレイと関連付けてパーマネント設定領域４８ａに記憶されている用紙サイズが、テンポラリ設定領域４８ｂに記憶される。このテンポラリ設定領域４８ｂは、コピー選択アイコン５４がユーザ操作により選択され、コピー処理実行画面７０が表示されると、設定値表示欄７４に表示される設定値が記憶され、設定変更画面１００において各種設定値が変更されることで上書きされ、コピー処理が完了すると、そこに記憶された設定値がクリアされる領域である。
【００３３】
また、透明板３６、若しくは、ＡＤＦにセットされた原稿の主走査方向の寸法が検出される。詳しくは、透明板３６に原稿がセットされ、カバー３７が閉じられると、読取装置３８が僅かに移動され、ＣＩＳ４３による読取が行われる。これにより、透明板３６にセットされた原稿の主走査方向の寸法が検出される。また、ＡＤＦに原稿がセットされると、検出センサ２４によって主走査方向の原稿の寸法が検出される。
【００３４】
続いて、モノクロコピー開始アイコン７８若しくは、カラーコピー開始アイコン８０が操作されると、テンポラリ設定領域４８ｂに記憶された用紙サイズと、コピー処理の設定値として設定されている拡縮率とに基づいて、原稿の原稿サイズが推定される。詳しくは、原稿の原稿サイズに対する印刷用紙の用紙サイズの比率が、拡縮率であるため、原稿サイズは、用紙サイズを拡縮率で除することで演算される。次に、演算された原稿サイズと、検出された主走査方向の原稿寸法とに基づいて、原稿の載置方向が推定される。そして、読取装置３８が、その載置方向で載置された原稿の副走査方向での寸法に相当する距離、移動されることで、推定された方向で載置された原稿サイズに応じた領域が、ＣＩＳ４３によって読み取られる。つまり、例えば、原稿サイズがＡ４と推定され、主走査方向の原稿寸法がＡ４サイズの原稿の長辺に相当する寸法である場合は、ＣＩＳ４３の延びる方向、つまり、図５の矢印４４の延びる方向に沿って、Ａ４サイズの原稿が載置されているため、原稿の載置方向は、縦方向と推定される。この際、縦方向に延びるように載置されたＡ４サイズの原稿の副走査方向（図５の矢印４０の延びる方向）の寸法は、Ａ４サイズの原稿の短辺に相当する寸法となる。このため、読取装置３８が、Ａ４サイズの原稿の短辺に相当する距離、移動されることで、縦方向に載置されたＡ４サイズの原稿に相当する領域が、ＣＩＳ４３によって読み取られる。そして、その読み取られた画像データが、拡縮率に応じた印刷用の画像データに変換される。つまり、例えば、原稿がＡ４サイズであり、拡縮率が１４１％である場合には、Ａ４サイズに相当する画像データを、縦方向及び横方向に１４１％、拡大させる。これにより、Ａ３サイズに相当する印刷用の画像データが作成される。
【００３５】
また、原稿の原稿サイズがＡ４以下であり、原稿の載置方向が横方向である場合には、原稿の画像読取時の原稿の姿勢と、印刷用紙への画像印刷時の印刷用紙の姿勢とが異なるため、読み取られた原稿の画像を９０度回転させた状態で、印刷用紙に印刷する必要がある。詳しくは、例えば、Ａ３サイズの原稿の画像が、読取部２２により読み取られる際には、原稿は横方向を向いた姿勢で、長辺の延びる方向に、原稿とＣＩＳ４３とが相対的に移動される。また、Ａ３サイズの印刷用紙に画像が、記録部２０により印刷される際には、図２に示すように、原稿は横方向を向いた姿勢で、長辺の延びる方向に搬送される。つまり、画像読取時の原稿の姿勢と、画像印刷時の印刷用紙の姿勢とは同じとなる。このように、画像読取時の原稿の姿勢と、画像印刷時の印刷用紙の姿勢とは同じとなる場合には、原稿の画像が、読取部２２によって読み取られた状態で、印刷用紙に印刷される。詳しくは、横方向を向いた姿勢の原稿と、ＣＩＳ４３とが、原稿の長辺の方向に相対的に移動されると、ＣＩＳ４３は、原稿の短辺の方向に沿って画像を読み取る。また、横方向を向いた姿勢の印刷用紙が、長辺の方向に向かって搬送されると、インクジェットヘッド３１は、印刷用紙の短辺の方向に沿って画像を印刷する。このように、画像読取時の原稿の姿勢と、画像印刷時の印刷用紙の姿勢とが、横方向である場合には、原稿の短辺の方向に沿って読み取られた画像が、印刷用紙の短辺の方向に沿って印刷される。つまり、画像読取時の原稿の姿勢と、画像印刷時の印刷用紙の姿勢とが同じである場合には、原稿の画像が、読取部２２によって読み取られた状態で、印刷用紙に印刷される。
【００３６】
また、例えば、Ａ４サイズ以下の原稿は、縦方向と横方向との何れかの方向で透明板３６、若しくは、ＡＤＦにセットされるが、縦方向にセットされた場合には、図５に示すように、原稿は縦方向を向いた姿勢で、短辺の延びる方向に、原稿とＣＩＳ４３とが相対的に移動される。また、Ａ４サイズ以下の印刷用紙に画像が、記録部２０により印刷される際には、図２に示すように、原稿は縦方向を向いた姿勢で、短辺の延びる方向に搬送される。つまり、画像読取時の原稿の姿勢と、画像印刷時の印刷用紙の姿勢とは同じとなる。このように、画像読取時の原稿の姿勢と、画像印刷時の印刷用紙の姿勢とは同じとなる場合には、原稿の画像が、読取部２２によって読み取られた状態で、印刷用紙に印刷される。詳しくは、縦方向を向いた姿勢の原稿と、ＣＩＳ４３とが、原稿の短辺の方向に相対的に移動されると、ＣＩＳ４３は、原稿の長辺の方向に沿って画像を読み取る。また、縦方向を向いた姿勢の印刷用紙が、短辺の方向に向かって搬送されると、インクジェットヘッド３１は、印刷用紙の長辺の方向に沿って画像を印刷する。このように、画像読取時の原稿の姿勢と、画像印刷時の印刷用紙の姿勢とが縦方向である場合には、原稿の長辺の方向に沿って読み取られた画像が、印刷用紙の長辺の方向に沿って印刷される。つまり、画像読取時の原稿の姿勢と、画像印刷時の印刷用紙の姿勢とが同じである場合には、原稿の画像が、読取部２２によって読み取られた状態で、印刷用紙に印刷される。
【００３７】
しかしながら、Ａ４サイズ以下の原稿が横方向に透明板３６、若しくは、ＡＤＦにセットされた場合には、図５に示すように、原稿は横方向を向いた姿勢で、長辺の延びる方向に、原稿とＣＩＳ４３とが相対的に移動される。また、Ａ４サイズ以下の印刷用紙に画像が、記録部２０により印刷される際には、図２に示すように、原稿は縦方向を向いた姿勢で、短辺の延びる方向に搬送される。つまり、画像読取時の原稿の姿勢と、画像印刷時の印刷用紙の姿勢とは異なる。このように、画像読取時の原稿の姿勢と、画像印刷時の印刷用紙の姿勢とは異なる場合には、原稿の画像が、読取部２２によって読み取られた状態から９０度回転された状態で、印刷用紙に印刷される。詳しくは、横方向を向いた姿勢の原稿と、ＣＩＳ４３とが、原稿の長辺の方向に相対的に移動されると、ＣＩＳ４３は、原稿の短辺の方向に沿って画像を読み取る。また、縦方向を向いた姿勢の印刷用紙が、短辺の方向に向かって搬送されると、インクジェットヘッド３１は、印刷用紙の長辺の方向に沿って画像を印刷する。このように、画像読取時の原稿の姿勢が横方向であり、画像印刷時の印刷用紙の姿勢が縦方向である場合には、原稿の短辺の方向に沿って読み取られた画像を、印刷用紙の長辺の方向に沿って印刷できない。このため、原稿の画像が全て読み取られた後に、その読み取られた画像が、印刷用紙の長辺の方向に沿った画像に変換され、その変換された画像が、印刷用紙の長辺の方向に沿って印刷される。つまり、画像読取時の原稿の姿勢と、画像印刷時の印刷用紙の姿勢とが異なる場合には、原稿の画像が、読取部２２によって読み取られた状態から９０度回転させた状態で、印刷用紙に印刷される。
【００３８】
このため、先に推定された原稿サイズがＡ４以下であり、先に推定された原稿の載置方向が横方向である場合には、原稿の画像が、読取部２２によって読み取られた状態から９０度回転させた状態で、印刷用紙に印刷されるように、印刷用の画像データの変換が行われる。このように、印刷用の画像データが作成されると、テンポラリ設定領域４８ｂに記憶されている用紙サイズと関連付けてパーマネント設定領域４８ａに記憶されている用紙トレイから、印刷用紙が給紙される。そして、給紙された印刷用紙に、印刷用の画像データに基づく画像が、記録部２０によって印刷される。これにより、ユーザの意思に従って設定された印刷用紙に、画像が印刷される。
【００３９】
次に、用紙トレイの自動設定が選択されている場合のコピー処理について説明する。用紙トレイの自動設定が選択されている場合においても、ユーザの意思に従って用紙トレイが設定されている場合と同様に、用紙サイズが、テンポラリ設定領域４８ｂに記憶される。また、透明板３６、若しくは、ＡＤＦにセットされた原稿の主走査方向の寸法が検出される。
【００４０】
次に、その原稿寸法と拡縮率とに基づいて、印刷用紙の用紙サイズが推定される。詳しくは、まず、原稿寸法に基づいて、原稿の原稿サイズが推定される。この際、例えば、主走査方向の原稿寸法が、Ａ５サイズの原稿の長辺に相当する寸法であれば、原稿サイズはＡ５であると推定される。ただし、主走査方向の原稿寸法が、Ａ３サイズの原稿の短辺に相当する寸法であれば、原稿サイズはＡ３サイズ若しくはＡ４サイズであると推定される。具体的には、例えば、図１０に示す形状の透明板３６において、矢印４４の方向がＣＩＳ４３の延びる方向である場合には、点線１２０で示す位置に、Ａ３サイズの原稿が載置されると、主走査方向の原稿寸法は、Ａ３サイズの原稿の短辺に相当する寸法となり、１点鎖線１２２で示す位置に、Ａ４サイズの原稿が載置されると、原稿寸法は、Ａ３サイズの原稿の短辺に相当する寸法となる。このため、主走査方向の原稿寸法が、Ａ３サイズの原稿の短辺に相当する寸法である場合には、原稿サイズはＡ３サイズ若しくはＡ４サイズと推定される。
【００４１】
次に、推定された原稿サイズと拡縮率とに基づいて、印刷用紙の用紙サイズが推定される。詳しくは、拡縮率は、原稿の原稿サイズに対する印刷用紙の用紙サイズの比率であるため、用紙サイズは、推定された原稿サイズに拡縮率を乗じることで演算される。このため、例えば、主走査方向の原稿寸法がＡ３サイズの短辺に相当する寸法である場合には、図１１に示すように、拡縮率に応じて用紙サイズが推定される。図から解るように、主走査方向の原稿寸法がＡ３サイズの短辺に相当する寸法であり、拡縮率が１４１％である場合には、推定される用紙サイズ（以下、「推定用紙サイズ」と記載する）として、Ａ３サイズの１種類の用紙サイズが推定される。また、拡縮率が６９％である場合には、Ａ４サイズとＡ５サイズとの２種類の用紙サイズが、推定用紙サイズとして推定され、拡縮率が１００％である場合には、Ａ３サイズとＡ４サイズとの２種類の用紙サイズが、推定用紙サイズとして推定される。
【００４２】
そして、推定用紙サイズが１種類の用紙サイズとして推定された場合には、その推定用紙サイズの印刷用紙が、ＭＦＰ１０内に収容されているか否かが判断される。つまり、用紙トレイと関連付けてパーマネント設定領域４８ａに記憶されている用紙サイズのなかに、推定用紙サイズと一致するものが存在するか否かが判断される。この際、用紙トレイと関連付けてパーマネント設定領域４８ａに記憶されている用紙サイズに、推定用紙サイズと一致するものが存在する場合には、その推定用紙サイズが、テンポラリ設定領域４８ｂに記憶されている用紙サイズに上書きされる。一方、用紙トレイと関連付けてパーマネント設定領域４８ａに記憶されている用紙サイズのなかに、推定用紙サイズと一致するものが存在しない場合には、テンポラリ設定領域４８ｂに記憶されている用紙サイズが維持される。
【００４３】
また、推定用紙サイズが複数種類、推定された場合には、それら複数種類の推定用紙サイズが、複数の用紙トレイ毎に設定されている優先順位に従って、用紙トレイと関連付けてパーマネント設定領域４８ａに記憶されている用紙サイズと一致するか否かが判断される。そして、複数種類の推定用紙サイズとパーマネント設定領域４８ａに記憶されている用紙サイズとが一致する場合には、複数種類の推定用紙サイズのうちの、パーマネント設定領域４８ａに記憶されている用紙サイズと最初に一致すると判断されたものが、テンポラリ設定領域４８ｂの用紙サイズに上書きされる。
【００４４】
つまり、例えば、Ａ３サイズとＡ４サイズとの２種類の用紙サイズが、推定用紙サイズとして推定され、図７に示す優先順位が設定されている場合には、まず、優先順位が１位のトレイＢと関連付けてパーマネント設定領域４８ａに記憶されている用紙サイズと、推定用紙サイズとが一致するか否かが判断される。この結果、トレイＢと関連付けてパーマネント設定領域４８ａに記憶されている用紙サイズがＡ３であり、推定用紙サイズがＡ３サイズとＡ４サイズとであり、パーマネント設定領域４８ａに記憶されている用紙サイズと、推定用紙サイズとが一致する。このため、推定用紙サイズのＡ３サイズが、テンポラリ設定領域４８ｂに記憶されている用紙サイズに上書きされる。
【００４５】
また、例えば、Ａ４サイズとＡ５サイズとの２種類の用紙サイズが、推定用紙サイズとして推定され、図７に示す優先順位が設定されている場合には、まず、優先順位が１位のトレイＢと関連付けてパーマネント設定領域４８ａに記憶されている用紙サイズと、推定用紙サイズとが一致するか否かが判断される。この結果、トレイＢと関連付けてパーマネント設定領域４８ａに記憶されている用紙サイズがＡ３であり、推定用紙サイズがＡ４サイズとＡ５サイズとであり、パーマネント設定領域４８ａに記憶されている用紙サイズと、推定用紙サイズとが一致しない。このため、次に、優先順位が２位のトレイＡと関連付けてパーマネント設定領域４８ａに記憶されている用紙サイズと、推定用紙サイズとが一致するか否かが判断される。この結果、トレイＡと関連付けてパーマネント設定領域４８ａに記憶されている用紙サイズがＡ４であり、推定用紙サイズがＡ４サイズとＡ５サイズとであり、パーマネント設定領域４８ａに記憶されている用紙サイズと、推定用紙サイズとが一致する。このため、推定用紙サイズのＡ４サイズが、テンポラリ設定領域４８ｂに記憶されている用紙サイズに上書きされる。なお、推定された複数種類の推定用紙サイズが、全ての用紙トレイと関連付けてパーマネント設定領域４８ａに記憶されている用紙サイズと一致しない場合には、テンポラリ設定領域４８ｂに記憶されている用紙サイズが維持される。
【００４６】
続いて、モノクロコピー開始アイコン７８若しくは、カラーコピー開始アイコン８０が操作されると、パーマネント設定領域４８ａに記憶されている用紙トレイ毎の用紙サイズ、つまり、用紙トレイ毎に設定された用紙サイズ（以下、「設定用紙サイズ」と記載する場合がある）と、拡縮率と、原稿寸法とに基づいて、原稿の原稿サイズおよび、原稿の載置方向が推定される。具体的には、まず、原稿寸法が、拡縮率に応じた印刷用紙の寸法に変換される。詳しくは、拡縮率は、原稿の原稿サイズに対する印刷用紙の用紙サイズの比率であるため、原稿の一辺の長さ寸法に、拡縮率を乗じることで、印刷用紙の一辺の長さ寸法が演算される。このため、原稿寸法に拡縮率を乗じることで、拡縮率に応じた印刷用紙の一辺の寸法（以下、「用紙寸法」と記載する場合がある）が演算される。つまり、例えば、原稿寸法がＡ３サイズの原稿の短辺に相当する寸法Ｘであり、拡縮率が６９％である場合には、用紙寸法は、Ｘ×０．６９となり、その数値は、Ａ４サイズの原稿の短辺に相当する寸法となる。
【００４７】
次に、用紙寸法が演算されると、設定用紙サイズのなかに、用紙寸法を短辺若しくは、長辺とする用紙サイズが存在するか否かが、優先順位に従って判断される。つまり、設定用紙サイズの短辺若しくは、長辺が、用紙寸法と一致するか否かが、優先順位に従って判断される。そして、設定用紙サイズの短辺若しくは、長辺が、用紙寸法と一致すると判断された場合に、設定用紙サイズの中で最初に一致すると判断された用紙サイズが、抽出される。具体的には、例えば、演算された用紙寸法がＡ３サイズの短辺に相当する寸法であり、図７に示す優先順位が設定されている場合には、まず、優先順位が１位のトレイＢと関連付けてパーマネント設定領域４８ａに記憶されている用紙サイズの短辺若しくは、長辺が、Ａ３サイズの短辺に相当する寸法であるか否かが判断される。この結果、トレイＢと関連付けてパーマネント設定領域４８ａに記憶されている用紙サイズがＡ３であるため、用紙寸法と、設定用紙サイズの短辺とが一致すると判定され、Ａ３サイズが抽出される。
【００４８】
また、例えば、演算された用紙寸法がＡ４サイズの短辺に相当する寸法であり、図７に示す優先順位が設定されている場合には、まず、優先順位が１位のトレイＢと関連付けてパーマネント設定領域４８ａに記憶されている用紙サイズの短辺若しくは、長辺が、Ａ４サイズの短辺に相当する寸法であるか否かが判断される。この結果、トレイＢと関連付けてパーマネント設定領域４８ａに記憶されている用紙サイズがＡ３であるため、用紙寸法と、設定用紙サイズの短辺及び長辺とは一致しないと判定される。このため、次に、優先順位が２位のトレイＡと関連付けてパーマネント設定領域４８ａに記憶されている用紙サイズの短辺若しくは、長辺が、Ａ４サイズの短辺に相当する寸法であるか否かが判断される。この結果、トレイＡと関連付けてパーマネント設定領域４８ａに記憶されている用紙サイズがＡ４であるため、用紙寸法と、設定用紙サイズの短辺とが一致すると判定され、Ａ４サイズが抽出される。
【００４９】
なお、抽出されたサイズは、用紙寸法と設定用紙サイズとに基づいて推定される印刷用紙のサイズである。このため、抽出されたサイズを拡縮率で除することで、原稿サイズが演算される。これは、拡縮率は、原稿の原稿サイズに対する印刷用紙の用紙サイズの比率であり、用紙サイズを拡縮率で除することで、原稿サイズが演算されるためである。つまり、抽出されたサイズがＡ３サイズであり、拡縮率が６９％である場合には、原稿サイズとして、Ａ４サイズが演算される。
【００５０】
上述した手法により原稿サイズが演算されると、用紙寸法と一致すると判断された設定用紙サイズの短辺若しくは、長辺をＣＩＳ４３の延びる方向に沿うように、その用紙サイズの印刷用紙を、透明板３６、若しくは、ＡＤＦに載置した場合の載置方向が、原稿の載置方向として推定される。つまり、例えば、原稿サイズが推定される際に、トレイＡと関連付けてパーマネント設定領域４８ａに記憶されている用紙サイズ（Ａ４）の長辺と、用紙寸法とが一致すると判断された場合には、Ａ４サイズの印刷用紙が長辺をＣＩＳ４３の延びる方向に沿うように載置された方向、つまり、縦方向が、原稿の載置方向として推定される。
【００５１】
そして、原稿サイズおよび、原稿の載置方向が推定されると、ユーザの意思に従って印刷用紙の用紙サイズが設定されている場合と同様に、推定された原稿サイズに応じた領域を、ＣＩＳ３９によって読み取り、その読み取られた画像データが、拡縮率に応じた印刷用の画像データに変換される。次に、用紙トレイの自動設定が選択されている場合には、原稿サイズがＡ４サイズ以下であり、原稿の載置方向が横方向であることを条件として、原稿の載置方向として、縦方向を推奨する旨の画面がディスプレイ１６に表示される。
【００５２】
詳しくは、上述したように、原稿サイズがＡ４サイズ以下であり、原稿の載置方向が横方向である場合には、原稿の画像読取時の原稿の姿勢と、印刷用紙への画像印刷時の印刷用紙の姿勢とが異なるため、読み取られた原稿の画像を９０度回転させた状態で、印刷用紙に印刷する必要がある。このため、読取部２２によって１枚の原稿の画像が全て読み取られた後に、その画像を９０度回転させるべく、画像データの変換を行う必要がある。一方、原稿サイズがＡ３サイズである場合、および、原稿サイズがＡ４サイズ以下であり、原稿の載置方向が縦方向である場合には、原稿の画像読取時の原稿の姿勢と、印刷用紙への画像印刷時の印刷用紙の姿勢とが同じとなり、原稿の画像が、読取部２２に読み取られた状態で、印刷用紙に印刷される。このため、画像を９０度回転させるための画像データの変換を行う必要がない。つまり、原稿サイズがＡ４サイズ以下であれば、原稿の載置方向が横方向である場合には、載置方向が縦方向である場合と比較して、画像を９０度回転させるための画像データの変換作業が、余分に必要となり、コピー処理に要する時間が長くなる。
【００５３】
また、例えば、原稿サイズがＡ４サイズ以下であり、原稿の載置方向が縦方向である場合には、画像読取時の原稿の姿勢と、画像印刷時の印刷用紙の姿勢とが縦方向となり、原稿の長辺の方向に沿って読み取られた画像が、印刷用紙の長辺の方向に沿って印刷される。このため、１枚の原稿の全ての画像が読み取られる前であっても、原稿の長辺方向の読み取りが完了する毎に、その長辺方向に読み取られた画像を、印刷用紙の長辺の方向に沿って印刷することが可能である。つまり、原稿サイズがＡ４サイズ以下であり、原稿の載置方向が縦方向である場合には、原稿の読み取りと、印刷用紙への印刷とを並行して行うことが可能となり、コピー処理に要する時間を短縮することが可能となる。
【００５４】
さらに言えば、図５に示すように、例えば、Ａ４サイズの原稿が横方向で透明板３６に載置された場合には、ＣＩＳ４３の副走査方向への移動距離は、Ａ４サイズの原稿の長辺に相当する距離となる。一方、Ａ４サイズの原稿が縦方向で透明板３６に載置された場合には、ＣＩＳ４３の副走査方向への移動距離は、Ａ４サイズの原稿の短辺に相当する距離となる。つまり、原稿の載置方向が縦方向である場合には、載置方向が横方向である場合と比較して、画像読取時のＣＩＳ４３の移動距離を短くすることが可能となり、コピー処理に要する時間を短縮することが可能となる。
【００５５】
このようなことに鑑みて、原稿サイズがＡ４サイズ以下であり、原稿の載置方向が横方向である場合には、ディスプレイ１６に、図１２に示す第１報知画面１５０が表示される。第１報知画面１５０には、原稿を縦方向に載置した方が高速にコピー処理を実行できる旨のコメント１５２と、その旨を示すイラスト１５４とが表示される。これにより、ユーザに、原稿の載置方向を縦方向とすることで、コピー処理に要する時間を短縮することが可能である旨の情報を、告知することが可能となり、ユーザビリティが向上する。なお、透明板３６、若しくは、ＡＤＦに既に載置された原稿の載置方向を変更していては、ユーザに負担がかかるとともに、載置方向の変換に時間を要するため、既に載置された原稿は、読取部２２により読み取られ、コピー処理が実行される。つまり、第１報知画面１５０は、既に載置された原稿の次の原稿の載置方向に関して、ユーザに告知するための画面である。
【００５６】
ただし、第１報知画面１５０がディスプレイ１６に表示されることで、適切なコピー処理が実行されない虞がある。具体的には、例えば、Ａ４サイズの原稿が、横方向で透明板３６、若しくは、ＡＤＦに載置された場合には、Ａ４サイズの短辺に相当する寸法が、主走査方向の原稿寸法として検出される。主走査方向の原稿寸法が、Ａ４サイズの短辺に相当する寸法である場合には、原稿サイズは、Ａ４サイズ、若しくは、Ａ５サイズと推定される。そして、その推定された原稿サイズに、拡縮率を乗じることで、推定用紙サイズが推定される。つまり、例えば、拡縮率が１００％である場合には、Ａ４サイズとＡ５サイズとの２種類の用紙サイズが、推定用紙サイズとして推定される。この際、図７に示す優先順位が設定されている場合には、まず、優先順位が１位のトレイＢと関連付けてパーマネント設定領域４８ａに記憶されている用紙サイズと、推定用紙サイズとが一致するか否かが判断される。この結果、トレイＢと関連付けてパーマネント設定領域４８ａに記憶されている用紙サイズがＡ３であり、推定用紙サイズがＡ４サイズとＡ５サイズとであり、パーマネント設定領域４８ａに記憶されている用紙サイズと、推定用紙サイズとが一致しない。このため、次に、優先順位が２位のトレイＡと関連付けてパーマネント設定領域４８ａに記憶されている用紙サイズと、推定用紙サイズとが一致するか否かが判断される。この結果、トレイＡと関連付けてパーマネント設定領域４８ａに記憶されている用紙サイズがＡ４であり、推定用紙サイズがＡ４サイズとＡ５サイズとであり、パーマネント設定領域４８ａに記憶されている用紙サイズと、推定用紙サイズとが一致する。このため、推定用紙サイズがＡ４サイズに決定される。そして、モノクロコピー開始アイコン７８、若しくは、カラーコピー開始アイコン８０への操作により、上述した手法に従って、Ａ４サイズの印刷用紙に画像が印刷される。
【００５７】
また、そのコピー処理時には、Ａ４サイズの原稿が横方向で、透明板３６、若しくは、ＡＤＦに載置されていたため、通常は、ディスプレイ１６に第１報知画面１５０が表示される。そして、ユーザが第１報知画面１５０の表示に従って、次の原稿を縦方向で透明板３６、若しくは、ＡＤＦに載置すると、その原稿がＡ４サイズである場合には、主走査方向の原稿寸法として、Ａ４サイズの原稿の長辺に相当する寸法が検出される。この際、原稿サイズは、Ａ３サイズ、若しくは、Ａ４サイズと推定され、例えば、拡縮率が１００％である場合には、Ａ３サイズとＡ４サイズとの２種類の用紙サイズが、推定用紙サイズとして推定される。そして、図７に示す優先順位が設定されている場合には、まず、優先順位が１位のトレイＢと関連付けてパーマネント設定領域４８ａに記憶されている用紙サイズと、推定用紙サイズとが一致するか否かが判断される。この結果、トレイＢと関連付けてパーマネント設定領域４８ａに記憶されている用紙サイズがＡ３であり、推定用紙サイズがＡ３サイズとＡ４サイズとであり、パーマネント設定領域４８ａに記憶されている用紙サイズと、推定用紙サイズとが一致する。このため、推定用紙サイズがＡ３サイズに決定される。つまり、ユーザが、Ａ４サイズの原稿を横向きでセットした際に、推定用紙サイズがＡ４に決定され、適切なコピー処理が実行されていたにも拘らず、第１報知画面１５０をディスプレイ１６に表示したことで、推定用紙サイズが変更され、適切なコピー処理が実行されない虞がある。
【００５８】
このため、推定された原稿サイズの長辺の寸法に拡縮率を乗じることで演算される寸法を長辺の寸法とする印刷用紙を収容する用紙トレイより優先度の高い用紙トレイが存在するか否かが判定される。そして、優先度の高い用紙トレイが存在し、その用紙トレイに、推定された原稿サイズの長辺の寸法に拡縮率を乗じることで演算される寸法を短辺の寸法とする印刷用紙が収容されている場合には、Ａ４サイズの原稿が横方向でセットされていても、ディスプレイ１６に第１報知画面１５０は表示されない。
【００５９】
つまり、先の例では、Ａ４サイズの原稿が、横方向でセットされており、Ａ４サイズの短辺に相当する寸法が、原稿寸法として検出される。原稿寸法が、Ａ４サイズの短辺に相当する寸法である場合には、原稿サイズは、Ａ４サイズ、若しくは、Ａ５サイズと推定される。そして、その推定された原稿サイズに、拡縮率を乗じることで、推定用紙サイズが推定される。つまり、例えば、拡縮率が１００％である場合には、Ａ４サイズとＡ５サイズとの２種類の用紙サイズが、推定用紙サイズとして推定される。ここで、Ａ４サイズとＡ５サイズとの用紙サイズの長辺寸法は、Ａ４サイズの印刷用紙の短辺と長辺とに相当する寸法である。この寸法を、長辺の寸法とする印刷用紙のサイズは、Ａ４サイズとＡ５サイズであり、そのサイズに相当する印刷用紙は、トレイＡ及びトレイＣに収容されている。それらトレイＡ及びトレイＣは、優先順位は２番及び３番であるため、トレイＡ及びトレイＣより優先順位の高い用紙トレイは存在する。そして、その優先順位の高い用紙トレイ、つまり、トレイＢには、Ａ３サイズの印刷用紙が収容されており、そのＡ３サイズの印刷用紙の短辺の寸法は、Ａ４サイズの印刷用紙の長辺に相当する。このため、先の例において、Ａ４サイズの原稿が、横方向でセットされていても、ディスプレイ１６に第１報知画面１５０は表示されない。これにより、適切なコピー処理を担保することが可能となる。
【００６０】
なお、テンポラリ設定領域４８ｂに設定されている用紙サイズの印刷用紙を収容する用紙トレイより優先順位の高い用紙トレイに、その用紙サイズの印刷用紙の長辺の寸法を、短辺の寸法とする印刷用紙が収容されていない場合に、Ａ４サイズの原稿が横方向でセットされていても、ディスプレイ１６に第１報知画面１５０を表示しなくてもよい。つまり、先の例では、Ａ４サイズの原稿が、横方向でセットされており、その場合には、上述したように、推定用紙サイズがＡ４サイズに決定される。つまり、テンポラリ設定領域４８ｂに設定される用紙サイズは、Ａ４サイズとなる。このＡ４サイズの印刷用紙は、トレイＡに収容されており、そのトレイＡよりも、トレイＢの優先順位は高い。そして、そのトレイＢには、Ａ３サイズの印刷用紙が収容されており、そのＡ３サイズの印刷用紙の短辺の寸法は、Ａ４サイズの印刷用紙の長辺に相当する。このため、このように優先度の高いトレイの印刷用紙を判定することでも、Ａ４サイズの原稿が横方向でセットされている場合の第１報知画面１５０の表示を防止することが可能である。
【００６１】
また、ＭＦＰ１０におけるファックス処理でも、原稿の載置方向に応じて、原稿の載置方向の変更を告知する画面が表示される。具体的には、メニュー画面５０において、ファックス選択アイコン５２が操作されると、ディスプレイ１６に、ファックス処理実行画面（図示省略）が表示される。この画面には、設定変更アイコン，ファックス開始アイコン等が表示される。そして、ユーザが、透明板３６、若しくは、ＡＤＦに原稿を載置すると、コピー処理と同様に、主走査方向の原稿寸法が検出され、その原稿寸法に基づいて、原稿サイズ及び原稿の載置方向が推定される。詳しくは、ＭＦＰ１０におけるファックス処理では、Ａ３サイズ、Ａ４サイズ、Ａ５サイズの原稿のファックス処理が可能とされている。このため、主走査方向の原稿寸法がＡ３サイズの長辺に相当する寸法である場合には、原稿サイズがＡ３サイズと推定され、原稿の載置方向は、長辺をＣＩＳ４３の延びる方向に沿うように載置された方向、つまり、縦方向と推定される。このように、原稿サイズ及び原稿の載置方向が、１意に推定される場合には、推定された原稿サイズ及び原稿の載置方向が、ファックス処理用のテンポラリ設定領域４８ｂに記憶される。
【００６２】
一方、例えば、主走査方向の原稿寸法がＡ４サイズの長辺に相当する寸法である場合には、原稿サイズは、Ａ４サイズ若しくは、Ａ３サイズと推定される。そして、原稿サイズがＡ４サイズである場合には、原稿の載置方向は、長辺をＣＩＳ４３の延びる方向に沿うように載置された方向、つまり、縦方向と推定され、原稿サイズがＡ３サイズである場合には、原稿の載置方向は、短辺をＣＩＳ４３の延びる方向に沿うように載置された方向、つまり、横方向と推定される。このように、原稿サイズ及び原稿の載置方向が、１意に推定されない場合には、ディスプレイ１６に問い合わせ画面（図示省略）が表示される。問い合わせ画面には、透明板３６、若しくはＡＤＦにセットされた原稿の原稿サイズを問い合わせる旨のコメントと、ユーザ操作により原稿サイズを選択するための選択アイコンとが表示される。そして、問い合わせ画面において、原稿サイズを選択するための選択アイコンが操作されると、操作された選択アイコンに応じた原稿サイズが、テンポラリ設定領域４８ｂに記憶される。また、その原稿サイズと、原稿寸法とに基づいて、原稿の載置方向が推定される。つまり、操作された選択アイコンに応じた原稿サイズがＡ４サイズであり、原稿寸法がＡ４サイズの長辺に相当する寸法である場合には、原稿の載置方向は、長辺をＣＩＳ４３の延びる方向に沿うように載置された方向、つまり、縦方向と推定される。そして、推定された載置方向がテンポラリ設定領域４８ｂに記憶される。
【００６３】
次に、原稿サイズ及び載置方向が、テンポラリ設定領域４８ｂに記憶されると、そのテンポラリ設定領域４８ｂに記憶された載置方向が、縦方向であるか否かが判断される。これは、ファックス処理時において、原稿の載置方向が縦方向である場合は、画像データの送信に適さないためである。詳しくは、ファックス処理では、透明板３６、若しくは、ＡＤＦにセットされた原稿が読取部２２により読み取られ、その画像が電話回線網４９を介して送信される。この際、画像読取時において、原稿の載置方向が縦方向である場合に、原稿の画像は、上述したように、原稿の長辺に沿って読み取られる。また、読み取られた画像の送信時において、原稿の画像は、原稿の長辺方向における一端から他端に向かって、短辺方向に沿って送信される。つまり、画像送信時には、読み取られた原稿の画像を９０度回転させた状態で、送信する必要がある。このため、読取部２２によって１枚の原稿の画像が全て読み取られた後に、その画像を９０度回転させるべく、画像データの変換を行う必要がある。この際、その原稿の全ての画像の画像データは、一旦、データ記憶領域４８に記憶され、その記憶された画像データが変換される。ただし、データ記憶領域４８は、ファックス処理以外の処理と共有しているため、多くの画像データがデータ記憶領域４８に記憶されると、他の処理に支障をきたす虞がある。
【００６４】
一方、画像読取時において、原稿の載置方向が横方向である場合に、原稿の画像は、上述したように、原稿の短辺に沿って読み取られる。そして、その読み取られた画像は、原稿の長辺方向における一端から他端に向かって、短辺方向に沿って送信される。つまり、原稿の載置方向が横方向である場合は、原稿の画像が、読み取られた状態で、送信される。このため、画像が短辺に沿って読み取られる毎に、その短辺に沿って読み取られた画像を送信することが可能となる。これにより、データ記憶領域４８に、原稿の全ての画像の画像データを記憶する必要が無くなり、他の処理の実行を担保できる。
【００６５】
このように、ファックス処理時には、原稿は横方向で透明板３６、若しくは、ＡＤＦに載置されることが好ましい。そこで、テンポラリ設定領域４８ｂに記憶された載置方向が、縦方向であるか否かが判断され、載置方向が縦方向である場合には、ディスプレイ１６に、図１３に示す第２報知画面１６０が表示される。第２報知画面１６０には、原稿の横方向での載置を促す旨のコメント１６２と、その旨を示すイラスト１６４とが表示される。これにより、ユーザが原稿の載置方向を横方向とすることで、他の処理を担保した状態で、ファックス処理を行うことが可能となる。
【００６６】
なお、コピー処理での原稿の載置方向の変更は、時間短縮が目的であり、原稿の再載置により時間のロスが生じるため、第１報知画面１５０が表示されても、コピー処理は実行されたが、ファックス処理での原稿の載置方向の変更は、他の処理の実行の担保を目的としているため、第２報知画面１６０が表示された場合には、原稿の載置方向が変更されない限り、画像の送信は行われない。つまり、コピー処理での第１報知画面１５０は、既に載置された原稿の次の原稿の載置方向に関して、ユーザに告知するための画面であったが、ファックス処理での第２報知画面１６０は、既に載置された原稿の載置方向に関して、ユーザに告知するための画面である。このため、ユーザが、第２報知画面１６０の指示に従って、原稿の載置方向を縦方向にすることで、原稿の画像が読み取られる。この際の画像の読み取り手法は、コピー処理の際の画像の読み取り手法と同じである。そして、読み取られた画像は、電話回線網４９を介して送信される。
【００６７】
＜制御プログラム＞
上記コピー処理は、ＭＦＰ１０のＣＰＵ１２において制御プログラム４７が実行されている際に、メニュー画面５０のコピー選択アイコン５４が操作されることによって行われる。以下に、その際のフローを、図１４乃至図１７を用いて説明する。
【００６８】
メニュー画面５０のコピー選択アイコン５４が操作されると、図１４に示すように、テンポラリ設定領域４８ｂに用紙サイズが記憶される（Ｓ１００）。次に、透明板３６、若しくは、ＡＤＦに原稿が載置されたか否かが、ＣＰＵ１２によって判断される（Ｓ１０２）。なお、原稿が載置されているか否かは、次の様に判断される。すなわち、カバーセンサ２５によりカバーが開状態から閉状態へと変化したことをＣＰＵ１２が検知すると、ＣＩＳをわずかに走査し読み取りを行う。そして原稿のエッジを検出した場合、ＣＰＵ１２は、原稿が載置されていると判断し、検出しなかった場合は原稿が載置されていないと判断する。また、検出センサ２４により原稿の主走査方向の寸法が検出された場合に、ＣＰＵ１２は、原稿が載置されていると判断し、検出しなかった場合は原稿が載置されていないと判断する。つまり、Ｓ１０２以前に原稿が載置されていたか否かに基づき判断を行うことができる。なお、１度のコピー処理では本判定で一度Ｙｅｓとなり、再度Ｓ１０２が実行される場合は、原稿が引き続き載置されていてもＮｏとして判断される。そして、透明板３６若しくは、ＡＤＦに原稿が載置されている場合（Ｓ１０２：ＹＥＳ）には、主走査方向の原稿寸法が検出される（Ｓ１０４）。続いて、用紙トレイを自動で設定するための条件（以下、「設定条件」と記載する場合がある）を充足しているか否かが、ＣＰＵ１２によって判断される（Ｓ１０６）。
【００６９】
設定条件としては、１）パーマネント設定領域４８ａに記憶された使用対象の用紙トレイの設定が“自動”に設定されており、設定変更画面１００において用紙トレイ、用紙サイズの設定が変更されていないこと、２）パーマネント設定領域４８ａに記憶された使用対象の用紙トレイの設定に特定の用紙トレイが記憶されているが、設定変更画面１００において用紙トレイの設定が“自動”に変更されたことのいずれかを満たすことである。
【００７０】
そして、設定条件を充足する場合（Ｓ１０６：ＹＥＳ）には、第１推定処理サブルーチンが実行される（Ｓ１０８）。第１推定処理サブルーチンでは、図１５に示すように、検出された原稿寸法と、拡縮率とに基づいて、印刷対象の印刷用紙の用紙サイズが推定される（Ｓ１３０）。次に、推定された用紙サイズが１種類であるか否かが、ＣＰＵ１２によって判断される（Ｓ１３２）。推定された用紙サイズが１種類である場合（Ｓ１３２：ＹＥＳ）には、推定用紙サイズと一致する設定の用紙トレイが存在するか否かが、ＣＰＵ１２によって判断される（Ｓ１３４）。つまり、推定用紙サイズが、用紙トレイ毎に関連付けてパーマネント設定領域４８ａに記憶されている用紙サイズと一致するか否かが判断される。
【００７１】
そして、推定用紙サイズと一致する設定の用紙トレイが存在する場合（Ｓ１３４：ＹＥＳ）には、その推定用紙サイズがテンポラリ設定領域４８ｂの用紙サイズに反映される（Ｓ１３６）。つまり、推定用紙サイズがテンポラリ設定領域４８ｂの用紙サイズに上書きされる。そして、第１推定処理サブルーチンが終了する。また、推定された用紙サイズが１種類でない場合（Ｓ１３２：ＮＯ）および、推定用紙サイズと一致する設定の用紙トレイが存在しない場合（Ｓ１３４：ＮＯ）にも、第１推定処理サブルーチンが終了する。
【００７２】
第１推定処理サブルーチンが終了すると、メインルーチンに戻り、図１４に示すように、推定用紙サイズが複数種類あるか否かが、ＣＰＵ１２によって判断される（Ｓ１１０）。そして、推定用紙サイズが複数種類ある場合（Ｓ１１０：ＹＥＳ）には、第２推定処理サブルーチンが実行される。第２推定処理サブルーチンでは、図１６に示すように、Ｎ＝１とされる（Ｓ１４０）。次に、Ｎ番目に優先度が高い用紙トレイに設定された用紙サイズが、推定用紙サイズに含まれるか否かが、ＣＰＵ１２によって判断される（Ｓ１４２）。Ｎ番目に優先度が高い用紙トレイに設定された用紙サイズが、推定用紙サイズに含まれる場合（Ｓ１４２：ＹＥＳ）には、推定用紙サイズのうちのＮ番目に優先度が高い用紙トレイに設定された用紙サイズが、テンポラリ設定領域４８ｂの用紙サイズに反映される（Ｓ１４４）。そして、第２推定処理サブルーチンが終了する。
【００７３】
また、Ｓ１４２でＮ番目に優先度が高い用紙トレイに設定された用紙サイズが、推定用紙サイズに含まれない場合（Ｓ１４２：ＮＯ）には、Ｎに１加算される（Ｓ１４６）。続いて、全ての用紙トレイに対して判断が実行されたか否かが、ＣＰＵ１２によって判断される（Ｓ１４８）。全ての用紙トレイに対して判断が実行されていない場合（Ｓ１４８：ＮＯ）には、Ｓ１４２に戻る。一方、全ての用紙トレイに対して判断が実行されている場合（Ｓ１４８：ＹＥＳ）には、第２推定処理サブルーチンが終了する。
【００７４】
第２推定処理サブルーチンが終了すると、メインルーチンに戻り、図１４に示すように、Ｓ１１４に進む。また、Ｓ１０２で透明板３６、若しくは、ＡＤＦに原稿が載置されていない場合（Ｓ１０２：ＮＯ）、若しくは、Ｓ１０６で設定条件を充足していない場合（Ｓ１０６：ＮＯ）、若しくは、Ｓ１１０で推定用紙サイズが複数種類ない場合（Ｓ１１０：ＮＯ）にも、Ｓ１１４に進む。次に、Ｓ１１４では、コピー設定の受付が有ったか否かが、ＣＰＵ１２によって判断される（Ｓ１１４）。コピー設定の受付が有った場合（Ｓ１１４：ＹＥＳ）には、受け付けたコピー設定が、コピー処理の設定値に反映される（Ｓ１１６）。そして、Ｓ１１８に進む。また、コピー設定の受付が無かった場合（Ｓ１１４：ＮＯ）にも、Ｓ１１８に進む。
【００７５】
Ｓ１１８では、原稿の載置を検知済みであるか、すなわちＳ１０２で既にＹＥＳと判断されているか否かが、ＣＰＵ１２によって判断される（Ｓ１１８）。そして、原稿の載置が検知済みでない場合（Ｓ１１８：ＮＯ）には、Ｓ１０２に戻る。一方、原稿が載置済みである場合（Ｓ１１８：ＹＥＳ）には、モノクロコピー開始アイコン７８若しくは、カラーコピー開始アイコン８０が操作されたか否かが、ＣＰＵ１２によって判断される（Ｓ１２０）。モノクロコピー開始アイコン７８若しくは、カラーコピー開始アイコン８０が操作されていない場合（Ｓ１２０：ＮＯ）には、Ｓ１０２に戻る。一方、モノクロコピー開始アイコン７８若しくは、カラーコピー開始アイコン８０が操作された場合（Ｓ１２０：ＹＥＳ）には、コピー処理サブルーチンが実行される（Ｓ１２２）。
【００７６】
コピー処理サブルーチンでは、図１７に示すように、用紙サイズ設定と拡縮率と原稿寸法とに基づいて、原稿サイズ及び原稿の載置方向が推定される（Ｓ１５０）。次に、原稿サイズ及び原稿の載置方向に応じた領域が、ＣＩＳ４３によって読み取られる（Ｓ１５２）。続いて、推定された原稿の載置方向が横方向であるか否かが、ＣＰＵ１２によって判断される（Ｓ１５４）。そして、原稿の載置方向が横方向である場合（Ｓ１５４：ＹＥＳ）には、用紙トレイの自動設定が選択されているか否かが、ＣＰＵ１２によって判断される（Ｓ１５６）。
【００７７】
用紙トレイの自動設定が選択されている場合（Ｓ１５６：ＹＥＳ）には、推定された原稿サイズの原稿を縦方向に載置可能であるか否かが、ＣＰＵ１２によって判断される（Ｓ１５８）。つまり、例えば、推定された原稿サイズがＡ４サイズであれば、透明板３６、若しくは、ＡＤＦに縦方向に載置可能であるが、推定された原稿サイズがＡ３サイズであれば、透明板３６、若しくは、ＡＤＦに縦方向に載置できない。そして、推定された原稿サイズの原稿を縦方向に載置可能である場合（Ｓ１５８：ＹＥＳ）には、テンポラリ設定領域４８ｂに記憶された用紙サイズの長辺の寸法を、短辺の寸法とする印刷用紙が、優先度の高い用紙トレイに収容されているか否かが、ＣＰＵ１２によって判断される（Ｓ１６０）。
【００７８】
そして、優先度の高い用紙トレイに所定の印刷用紙が収容されていない場合（Ｓ１６０：ＮＯ）には、ディスプレイ１６に第１報知画面１５０が表示される（Ｓ１６２）。次に、テンポラリ設定領域４８ｂに記憶された用紙サイズを収容する用紙トレイから印刷用紙が給紙される（Ｓ１６４）。続いて、給紙された印刷用紙に、Ｓ１５２で読み取られた画像が印刷される（Ｓ１６６）。そして、コピー処理サブルーチンが終了する。
【００７９】
また、Ｓ１６０で優先度の高い用紙トレイに所定の印刷用紙が収容されている場合（Ｓ１６０：ＹＥＳ）、Ｓ１５８で推定された原稿サイズの原稿を縦方向に載置不能である場合（Ｓ１５８：ＮＯ）、Ｓ１５６で用紙トレイの自動設定が選択されていない場合（Ｓ１５６：ＮＯ）、Ｓ１５４で原稿の載置方向が縦方向である場合（Ｓ１５４：ＮＯ）には、Ｓ１６４に進み、以降の処理が実行されることで、コピー処理サブルーチンが終了する。
【００８０】
コピー処理サブルーチンが終了すると、メインルーチンに戻り、図１４に示すように、制御プログラム４７が終了する。
【００８１】
また、上記ファックス処理は、ＭＦＰ１０のＣＰＵ１２において制御プログラム４７が実行されている際に、メニュー画面５０のファックス選択アイコン５２が操作されることによって行われる。以下に、その際のフローを、図１８を用いて説明する。
【００８２】
メニュー画面５０のファックス選択アイコン５２が操作されると、図１８に示すように、透明板３６、若しくは、ＡＤＦに原稿が載置されたか否かが、ＣＰＵ１２によって判断される（Ｓ２００）。透明板３６、若しくは、ＡＤＦに原稿が載置されている場合（Ｓ２００：ＹＥＳ）には、原稿寸法が検出される（Ｓ２０２）。続いて、ファックス開始アイコンが操作されたか否かが、ＣＰＵ１２によって判断される（Ｓ２０４）。ファックス開始アイコンが操作されていない場合（Ｓ２０４：ＮＯ）には、Ｓ２００に戻る。一方、ファックス開始アイコンが操作された場合（Ｓ２０４：ＹＥＳ）には、原稿寸法に基づいて、原稿サイズ及び原稿の載置方向が推定される（Ｓ２０６）。
【００８３】
次に、原稿サイズ及び原稿の載置方向が１意に特定されるか否かが、ＣＰＵ１２によって判断される（Ｓ２０８）。原稿サイズ及び原稿の載置方向が１意に特定されない場合（Ｓ２０８：ＮＯ）には、ディスプレイ１６に問い合わせ画面が表示される（Ｓ２１０）。続いて、問い合わせ画面への入力により、原稿サイズを特定するとともに、その原稿サイズと原稿寸法とに基づいて、原稿の載置方向が特定される（Ｓ２１２）。そして、Ｓ２１４に進む。また、原稿サイズ及び原稿の載置方向が１意に特定される場合（Ｓ２０８：ＹＥＳ）にも、Ｓ２１４に進む。
【００８４】
Ｓ２１４では、特定された載置方向が縦方向であるか否かが、ＣＰＵ１２によって判断される（Ｓ２１４）。この際、原稿の載置方向が縦方向である場合（Ｓ２１４：ＹＥＳ）には、ディスプレイ１６に第２報知画面１６０が表示される（Ｓ２１６）。そして、Ｓ２０６に戻る。一方、原稿の載置方向が横方向である場合（Ｓ２１４：ＮＯ）には、原稿サイズ及び原稿の載置方向に応じた領域が、ＣＩＳ４３によって読み取られる（Ｓ２１８）。そして、読み取られた画像が電話回線網４９を介して送信される（Ｓ２２０）。これにより、制御プログラム４７が終了する。
【００８５】
なお、Ｓ１０４を実行するＣＰＵ１２は、取得手段の一例である。Ｓ１２０を実行するＣＰＵ１２は、第１受付手段の一例である。Ｓ１５４を実行するＣＰＵ１２は、第１判定手段及び第２判定手段の一例である。Ｓ１６２を実行するＣＰＵ１２は、第１報知手段の一例である。Ｓ１６６を実行するＣＰＵ１２は、第１実行手段の一例である。Ｓ２０４を実行するＣＰＵ１２は、第２受付手段の一例である。Ｓ２１４を実行するＣＰＵ１２は、第３判定手段の一例である。Ｓ２１６を実行するＣＰＵ１２は、第２報知手段の一例である。Ｓ２２０を実行するＣＰＵ１２は、第２実行手段の一例である。
【００８６】
なお、本発明は、上記実施形態に限定されるものではなく、当業者の知識に基づいて種々の変更、改良を施した種々の態様で実施することが可能である。具体的には、上記実施形態では、Ａ３、Ａ４、Ａ５サイズの原稿及び印刷用紙を使用可能なＭＦＰ１０が採用されているが、種々のサイズ、具体的には、例えば、Ｂ４等のＢ判サイズ，Ｌｅｔｔｅｒサイズ，Ｌｅｄｇｅｒサイズ等の原稿及び印刷用紙を使用可能な装置を採用することが可能である。
【００８７】
また、上記実施形態では、副走査方向の原稿寸法については、センサを用いることなく推定されているが、センサにより検出する構成としてもよい。この場合には、Ａ４サイズ以下の原稿に対して、Ｓ１６０の判断を行うことなく、縦置きを推奨することが可能となります。
【００８８】
また、上記実施形態では、透明板３６等に載置されている原稿が横置きである場合に、その原稿の複写処理は実行され、次に透明板３６等に載置される原稿に対して、縦置きが推奨されるが、既に透明板３６等に載置されている原稿に対して、縦置きを推奨してもよい。この場合には、原稿が縦置きにセットされた後に、再度、スタートボタンが操作されることで、その原稿の複写処理が実行される。
【００８９】
また、インクジェットヘッドとして、シリアル式インクに限定されず、ライン式インクでもよい。また、印字機構は、インクジェット方式に限定されず、レーザ方式でもよい。
【００９０】
また、上記実施形態では、ＣＰＵ１２によって図１４乃至図１８に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００９１】
１０：ＭＦＰ（複写機）、１２：ＣＰＵ（制御部）（コンピュータ）、１８：入力Ｉ／Ｆ（操作部）、２０：記録部、２２：読取部、２８：電話回線接続部（送信部）、３６：透明板（載置部）、４３：ＣＩＳ（撮像素子）、４７：制御プログラム、４８：データ記憶領域（記憶部）、４９：電話回線網
【図１】
0006606957.tif 000002
【図２】
0006606957.tif 000003
【図３】
0006606957.tif 000004
【図４】
0006606957.tif 000005
【図５】
0006606957.tif 000006
【図６】
0006606957.tif 000007
【図７】
0006606957.tif 000008
【図８】
0006606957.tif 000009
【図９】
0006606957.tif 000010
【図１０】
0006606957.tif 000011
【図１１】
0006606957.tif 000012
【図１２】
0006606957.tif 000013
【図１３】
0006606957.tif 000014
【図１４】
0006606957.tif 000015
【図１５】
0006606957.tif 000016
【図１６】
0006606957.tif 000017
【図１７】
0006606957.tif 000018
【図１８】
0006606957.tif 000019